(57)【特許請求の範囲】
【請求項１】
電子部品を多数収容した長尺状のテーピング部材をテープリールへ多数巻きに巻設して、このテーピング部材の外周部のものから、順次、電子部品実装機へ繰出自在となるように支承させたテープリールの支持装置にあって、
前記テーピング部材の繰出最外側の表面における少なくとも該テーピング部材の回転中心より下側部に接触して、このテーピング部材を回転可能に支持する当接体と、該当接体の一端部に連設させて本体の適所に固定した取付体とを備え、
前記当接体における前記取付体とは反対側の端部を開放させ、この当接体に支持された前記テーピング部材は、前記端部と前記取付体との間を、前記端部および前記取付体とに接触することなく電子部品実装機側へ延出し、
前記当接体を、テーピング部材を回転可能に支持する第１の当接体と、側面視において前記テーピング部材の外周部と逆方向に反った円弧状に形成され、テーピング部材の繰出最外側の表面に接触することによりテーピング部材に所定の回転摩擦抵抗を与える第２の当接体とから構成したことを特徴とする電子部品供給機用テープリール支持装置。
【請求項２】
テープリールは、巻芯と、この巻芯を挟んでその両側に配設させた一対の側板からなり、
当接体は、前記一対の側板内に納まり得る幅寸法を有していることを特徴とする請求項１記載の電子部品供給機用テープリール支持装置。
【請求項３】
電子部品を多数収容した長尺状のテーピング部材をテープリールへ多数巻きに巻設して、このテーピング部材の外周部のものから、順次、電子部品実装機へ繰出自在となるように支承させたテープリールの支持方法にあって、
前記テーピング部材の繰出最外側の表面における少なくとも該テーピング部材の回転中心より下側部を第１の当接体へ回転可能に接触させると共に、このテープリールの自重により回転抵抗が得られるように支持させ、かつテーピング部材を前記第１の当接体およびこの第１の当接体をテープリール支持装置の本体に取付ける取付体とに接触することがないように延出させ、
前記テーピング部材の外周部と逆方向に反った円弧状に形成された第２の当接体をテーピング部材の繰出最外側の表面に接触させることによりテーピング部材に所定の回転摩擦抵抗を付与することを特徴とする電子部品供給機用テープリール支持方法。
【発明の詳細な説明】
【０００１】
【産業上の利用分野】
本発明は、電子部品をプリント基板上に装着する電子部品実装機にあって、この電子部品を収容したテーピング部材の繰り出しを確実にし、かつ、幅方向へより多数の電子部品供給機を装着することができる電子部品供給機用テープリール支持装置およびその方法に関する。
【０００２】
【従来の技術】
従来、電子部品をプリント基板上に装着する実装機にあって、この実装機への電子部品の供給は、該電子部品を所定ピッチで多数収容してテープリールに巻き付けられたテーピング部材が利用されることが一般的で、プリント基板への電子部品の供給効率等を高めるために、図４に示すように、前記した電子部品供給機Ｇは、電子部品実装機Ｆの一側または両側に多数個並設された状態で設けられている。
【０００３】
そして、このテーピング部材ｔは、図示されない送り手段によって、逐次、電子部品実装機Ｆへ向かって連続または間欠的に繰り出されているもので、テープリールと共に回転運動をしている。
【０００４】
この構成として、例えば、図６に示すようなものが知られているもので、アーム６０に突設させた支軸６１へ、テープリール６２における巻芯６３の孔６４を挿嵌して回転可能に支持させてある。
【０００５】
しかし、この構成は、アーム６０および支軸６１がテープリール６２における一対のフランジ６５，６５の外側より突出しているので、少なくともこの寸法分は、隣り合ったテープリール６２の最小間隔が規制され、より多くのテーピング部材ｔを並設することができない。
【０００６】
また、送り手段によって逐次引き出されるテーピング部材は、その引き出される際の勢いによってテープリールが回り過ぎて、電子部品の供給が安定しなかったり、あるいは、テーピング部材がその供給途中においてたるみを起こし、以後の供給に支障を来すことがあった。
【０００７】
そのため、一部では、図６に示すように、アーム６０へスプリング６６により常時、テープリール６２のフランジ６５端縁に当接するリール押え６７を付設して、これにより、テープリール６２のフランジ６５にブレーキを与えて回り過ぎを防止していた。
【０００８】
しかしながら、ブレーキ作用を行なうための付属部品が必要となって、そのための装置が複雑となると共に、リールブレーキを構成するための製作コストが高騰する。
等の様々な問題点を有するものであった。
【０００９】
【発明が解決しようとする課題】
本発明は前記した問題点を解決するためになされたもので、テープリールへ巻き付けたテーピング部材を繰出自在に支承させたこのテープリールの支持にあって、テーピング部材の繰出最外側の表面に接触して、このテーピング部材を回転可能に支持する当接体を設け、該当接体に本体の適所に設けた取付体を連設させることにより、電子部品を収容したテーピング部材の繰り出しを確実にして、実装機に対する幅方向へ、より多数の電子部品供給機を装着することができる電子部品供給機用テープリール支持装置およびその方法を提供することを目的としている。
【００１０】
【課題を解決するための手段】
前記した目的を達成するための本発明の手段は、電子部品を多数収容した長尺状のテーピング部材をテープリールへ多数巻きに巻設して、このテーピング部材の外周部のものから、順次、電子部品実装機へ繰出自在となるように支承させたテープリールの支持装置にあって、前記テーピング部材の繰出最外側の表面における少なくとも該テーピング部材の回転中心より下側部に接触して、このテーピング部材を回転可能に支持する当接体と、該当接体の一端部に連設させて本体の適所に固定した取付体とを備え、前記当接体における前記取付体とは反対側の端部を開放させ、この当接体に支持された前記テーピング部材は、前記端部と前記取付体との間を、前記端部および前記取付体とに接触することなく電子部品実装機側へ延出し、前記当接体を、テーピング部材を回転可能に支持する第１の当接体と、側面視において前記テーピング部材の外周部と逆方向に反った円弧状に形成され、テーピング部材の繰出最外側の表面に接触することによりテーピング部材に所定の回転摩擦抵抗を与える第２の当接体とから構成した電子部品供給機用テープリール支持装置の構成にある。
【００１２】
更に、
テープリールは、巻芯と、この巻芯を挟んでその両側に配設させた一対の側板からなり、
当接体は、前記一対の側板内に納まり得る幅寸法を有している。
【００１３】
そして、電子部品を多数収容した長尺状のテーピング部材をテープリールへ多数巻きに巻設して、このテーピング部材の外周部のものから、順次、電子部品実装機へ繰出自在となるように支承させたテープリールの支持方法にあって、前記テーピング部材の繰出最外側の表面における少なくとも該テーピング部材の回転中心より下側部を当接体へ回転可能に接触させると共に、このテープリールの自重により回転抵抗が得られるように支持させ、かつテーピング部材を前記当接体およびこの当接体をテープリール支持装置の本体に取付ける取付体とに接触することがないように延出させ、前記テーピング部材の外周部と逆方向に反った円弧状に形成された第２の当接体をテーピング部材の繰出最外側の表面に接触させることによりテーピング部材に所定の回転摩擦抵抗を付与する電子部品供給機用テープリール支持方法にある。
【００１４】
【実施例】
次に、本発明に関する電子部品供給機用テープリール支持装置およびその方法の実施の一例を図面に基づいて説明する。ここでは先ず、図１〜図４によって本発明の前提となる参考技術について説明する。
【００１５】
図１〜図３においてＡは、電子部品供給機用テープリール支持装置Ａで、電子部品ｂをそのキャリアテープｃへ多数収容してカバーテープｄにより被覆した長尺状のテーピング部材ｔをテープリールｅへ多数巻きに巻設して、このテーピング部材ｔの外周部のものから、順次、電子部品実装機Ｆへ繰出自在となるように支承させるものであって、図１および図２においては、本発明の前提となる参考技術の例を示すものであり、当接体１と、取付体２とにより基本的に構成される。
【００１６】
なお、テープリールｅは、巻芯ｅ１と、この巻芯ｅ１を挟んでその両側に配設させた断面略Ｈ型となる一対の側板ｅ２，ｅ２とからなるもので、テーピング部材ｔはその繰り出し終端部を巻芯ｅ１へ止め付け、側板ｅ２の周端縁付近まで巻き付けて使用される。
【００１７】
そして、前記した当接体１は、テーピング部材ｔの繰出最外側（巻かれた最も外周側）の表面における少なくとも、該テーピング部材ｔの回転中心より下側部に接触して、このテーピング部材ｔを回転可能に、すなわち、繰出自在にその自重によって支持される。
【００１８】
該当接体１は、テープリールｅにおける一対の側板ｅ２，ｅ２内に納まり得る幅寸法を有しているもので、その当接面は所定の接触面積を有していて、略Ｕの字状に形成することで、テーピング部材ｔの下側部への接触面積を増大させることができ、また、側板ｅ２，ｅ２が当接体１を挟む状態となるから、テープリールｅの自重による支持であっても、安定的な納まりと回転運動がなされる。
【００１９】
この当接体１の幅寸法は、テープリールｅの側板ｅ２が合成樹脂や紙製，金属薄板等の比較的可撓性を有していれば、テープリールｅの溝幅と同じか、わずかに当接体１幅が広くなるように、あるいは、わずかに狭くなるように形成するもので、前記した当接体１の幅が同じまたは広い場合は、当接体１の側面と側板ｅ２とが摩擦状態に当接するため、前記した自重接地と相俟ってテープリールｅの回転に対するブレーキ作用をなす。
【００２０】
前記した取付体２は、当接体１に連設させて本体、例えば、電子部品供給機Ｇのフレーム３に設けてある。
【００２１】
なお、この電子部品供給機Ｇは、電子部品実装機Ｆに対して公知の送り手段４により所定ピッチで電子部品ｂを送り込むもので、電子部品実装機Ｆの一側部または両側部に対して、図４に示すように、多数組み設けられている。
【００２２】
したがって、前記のように構成された参考例における電子部品供給機用テープリール支持装置Ａおよびその方法は、以下に述べる作用を奏する。
【００２３】
テーピング部材ｔが所定量巻かれたテープリールｅを当接体１の上方より降ろし、あるいは、当接体１の側部から繰り入れ、その側板ｅ２，ｅ２の間に当該当接体１を挿し入れると、図３に示すように、該テープリールｅに巻かれたテーピング部材ｔの繰出最外周側の表面が当接体１の上面に接触し、一対の側板ｅ２，ｅ２の内側面が当接体１の両側面に対面する。
【００２４】
そのため、テープリールｅは当接体１に安定よく保持され、傾倒したり転落したりすることがない。
【００２５】
この状態で、電子部品供給機Ｇにおける送り手段４によってテーピング部材ｔを電子部品実装機Ｆへ向かって引き出すと、該テーピング部材ｔは当接体１上においてテープリールｅが回転しつつ繰り出されるもので、後述する本発明の一実施例においては、図５（ａ）に示すように、当接体１の上部に付設したローラ等の迂回部材５を介して繰り出される場合もある。
【００２６】
このとき、テープリールｅに巻き付けられたテーピング部材ｔは、当接体１に対して自重による押圧力が与えられているので、このテーピング部材ｔの繰出最外側（巻かれた最も外側）の表面は、当接体１と所定の摩擦をもって移動し、送り手段４による繰り出しには所定のブレーキ作用がなされて、テーピング部材ｔの引き出す際の勢い（慣性等）でテープリールｅが余分に回り過ぎることなく、一定の緊張力を維持して電子部品供給機Ｇに位置する。
【００２７】
そのため、この電子部品供給機Ｇにおいてたるみや蛇行を生じたり、妄動によるテーピング部材ｔの引っ掛かり等の不都合を生じない。
【００２８】
この装置Ａは、多数組み電子部品供給機Ｇを取り付けた際に、図３に示すように、隣り合うテープリールｅの外側には張り出す余分な部材が一切ないため、該隣り合うテープリールｅ，ｅの間隔ｗをできるだけ狭く（互いに当接する場合もある。）することができる。
【００２９】
これによって、電子部品実装機Ｆの一側または両側において、限られた取り付けスペースへ、より多くの電子部品供給機Ｇを取り付けることができる。
【００３０】
次に、本発明に係る実施例装置Ａの一例を、図５により説明するもので、テーピング部材ｔを回転可能に保持する第１の当接体１１と、テーピング部材ｔの繰出最外側の表面に接触して、このテーピング部材ｔに所定の回転摩擦抵抗を与える第２の当接体１２と、前記第１の当接体１１に連設させて本体の適所に設けた取付体２とからなる。前記第２の当接体１２は、図５に示すように、側面視において前記テーピング部材ｔの外周部（繰出最外側の表面）と逆方向に反った円弧状に形成されている。
【００３１】
すなわち、この例は、第２の当接体１２は、テープリールｅのテーピング部材ｔに回転時において所定のブレーキを与える構成で、テーピング部材ｔの繰出最外側の表面にこの第２の当接体１２が接触し、第１の当接体１１にテーピング部材ｔを押し付ける。
【００３２】
該第２の当接体１２が接触するテーピング部材ｔにおける繰出最外側の表面の位置は、このテーピング部材ｔの繰り出しに支承のない範囲内で任意の位置が選定し得るもので、該テーピング部材ｔの上部および側部が適している。
【００３３】
なお詳述すれば、図５（ａ）に示すように、テーピング部材ｔは迂回部材５を経て送り出されるように構成されたり、同図（ｂ）に示すように、テーピング部材ｔの繰出部に接触する構成等が上げられる。
【００３４】
この第２の当接体１２は、弾性を有する素材により形成すれば、テーピング部材ｔの表面に所定圧が加わると共に、テーピング部材ｔのテープリールｅの着脱に際して外部に退避して作業が容易となるもので、しかも、テーピング部材ｔに押付力が掛かって、第１の当接体１１への載置の安定性が一層向上する。
【００３５】
なお、この例にあって、保持体６は、前記した参考技術の例に示される当接体１と同様の作用効果を発揮することはもちろんである。
【００３６】
【発明の効果】
前述したように本発明の電子部品供給機用テープリール支持装置は、テープリールにおける一対の側板の間、すなわち巻芯に巻き付けてあるテーピング部材が直接当接体へ自重により接触・当接するため、テープリールを回転自在に支承できると共に、テーピング部材を巻き付けたテープリールに自重によりブレーキ作用をなし、該テーピング部材の繰り出しの際のテープリールの回り過ぎに起因するたるみ等の不都合を防止することができる。
【００３７】
特に、この当接体は、テープリールの支持とブレーキ作用とを兼用する構造であるため、前記したテープリールの回り止めを構成する余分な構造が不必要となって、装置全体を単純でコンパクトにしかも低廉価に製作できる。
【００３８】
また、テープリールにおける一対の側板の外側には、突出するものが一切ないので、隣り合うテープリールの間隔を可及的に狭めることができるので、電子部品実装機の取付部にあって、より多数の電子部品供給機を据え付けることができる。
【００３９】
更に、テーピング部材の繰出最外側の表面に接触して、該テーピング部材に所定の回転摩擦抵抗を与える当接体を設けることで、一層のテープリールの回り止め作用を発揮し、該テープリールの保持体における載置安定性が向上する。
等の格別な効果を奏するものである。
【図面の簡単な説明】
【図１】本発明の前提となる参考技術に関する電子部品供給機用テープリール支持装置の一例を概略的に示す要部の断面図である。
【図２】  図１における装置の電子部品供給機への取付状態を示す正面図である。
【図３】  図１における装置を縦断して示す側面図である。
【図４】  図２における電子部品供給機の電子部品実装機への取付状態を示す斜視図である。
【図５】本発明に関する電子部品供給機用テープリール支持装置の一実施例を概略的に示す要部の断面図である。
【図６】  従来の電子部品供給機用テープリール支持装置を示すもので、（ａ）は斜視図を、（ｂ）は（ａ）におけるＡ−Ａ線の断面図である。
【符号の説明】
ｂ…電子部品、ｔ…テーピング部材、ｅ…テープリール、ｅ１…巻芯、ｅ２…側板、Ａ…テープリール支持装置、Ｆ…電子部品実装機、１…当接体、２…取付体、３…本体、１１…第１の当接体、１２…第２の当接体。
【図１】
0003860315.tif 000002
【図２】
0003860315.tif 000003
【図３】
0003860315.tif 000004
【図４】
0003860315.tif 000005
【図５】
0003860315.tif 000006
【図６】
0003860315.tif 000007